(57)【特許請求の範囲】
【請求項１】
無線通信のための方法であって、
システム・フレーム数（ＳＦＮ）ロールオーバ時間を識別し、システム・フレーム数が、第１の値から、前記第１の値よりも小さな第２の値へとロールオーバする時を示すことと、
１または複数のハイブリッド自動反復要求（ＨＡＲＱ）のためのＳＦＮロールオーバ時間において、ＨＡＲＱ動作を停止させることと、
前記ＳＦＮロールオーバ時間からのアップリンクＨＡＲＱ動作を再開することと
を備える方法。
【請求項２】
ＳＦＮロールオーバによってＨＡＲＱ動作が停止され、再開されることであるＨＡＲＱリセットのレートが、時間的に一定になるように、システム内の１または複数のユーザ機器のＳＦＮロールオーバ時間をオフセットすることをさらに備える請求項１に記載の方法。
【請求項３】
システム・ロールオーバ数Ｍを決定することをさらに備え、
前記システム・ロールオーバ数は、２つの連続したＳＦＮロールオーバ時間の差である請求項１に記載の方法。
【請求項４】
前記システム・ロールオーバ数Ｍは、システムのアップリンクＨＡＲＱ動作のＨＡＲＱ反復期間のうちの１または複数の最小公倍数の倍数であり、前記システムのアップリンクＨＡＲＱ動作は、時分割多重化モードのうちの複数のアップリンク−ダウンリンク構成と、周波数分割多重化モードとを含む請求項３に記載の方法。
【請求項５】
前記システム・ロールオーバ数Ｍは、関係
【数１】
0005313350.tif 000012
を満足する最大の整数であり、ｎは、前記ＳＦＮで定義されたビット数であり、ｌｏｇ２は、基底数２である対数であり、関数
【数２】
0005313350.tif 000013
は、その中の最大の整数を出力する請求項３に記載の方法。
【請求項６】
前記１または複数のＨＡＲＱのためのＳＦＮロールオーバ時間において、ＨＡＲＱ動作を停止させることは、メッセージの往復処理がＳＦＮロールオーバ時間前に完了した場合に、アップリンク許可メッセージを送信することをさらに備え、
前記メッセージの往復処理は、メッセージを送信することと、メッセージに対する応答を受信することとを備える請求項１に記載の方法。
【請求項７】
前記１または複数のＨＡＲＱのためのＳＦＮロールオーバ時間において、ＨＡＲＱ動作を停止させることは、アップリンク送信時間が、ＳＦＮロールオーバ時間前に終了した場合に、アップリンク許可を送信することを備える請求項１に記載の方法。
【請求項８】
ＳＦＮロールオーバ前にＡＣＫ／ＮＡＣＫを送る時間の無いＨＡＲＱ処理を組み合わせることと、
前記組み合わされたＨＡＲＱ処理を、ＳＦＮロールオーバ時間後に、処理識別情報（ＩＤ）を用いて送信することとをさらに備え、
前記処理ＩＤは、前記ＳＦＮロールオーバ時間前の処理ＩＤと同じである請求項７に記載の方法。
【請求項９】
無線通信のための装置であって、
システム・フレーム数（ＳＦＮ）ロールオーバ時間を識別し、システム・フレーム数が、第１の値から、前記第１の値よりも小さな第２の値へとロールオーバする時を示すためのロジックと、
１または複数のハイブリッド自動反復要求（ＨＡＲＱ）のためのＳＦＮロールオーバ時間において、ＨＡＲＱ動作を停止させるためのロジックと、
前記ＳＦＮロールオーバ時間からのアップリンクＨＡＲＱ動作を再開させるためのロジックと
を備える装置。
【請求項１０】
ＳＦＮロールオーバによってＨＡＲＱ動作が停止され、再開されることであるＨＡＲＱリセットのレートが、時間的に一定になるように、システム内の１または複数のユーザ機器のＳＦＮロールオーバ時間をオフセットするためのロジックをさらに備える請求項９に記載の装置。
【請求項１１】
システム・ロールオーバ数Ｍを決定するためのロジックをさらに備え、
前記システム・ロールオーバ数は、２つの連続したＳＦＮロールオーバ時間の差である請求項９に記載の装置。
【請求項１２】
前記システム・ロールオーバ数Ｍは、システムのアップリンクＨＡＲＱ動作のＨＡＲＱ反復期間のうちの１または複数の最小公倍数の倍数であり、前記システムのアップリンクＨＡＲＱ動作は、時分割多重化モードのうちの複数のアップリンク−ダウンリンク構成と、周波数分割多重化モードとを含む請求項１１に記載の装置。
【請求項１３】
前記システム・ロールオーバ数Ｍは、関係
【数３】
0005313350.tif 000014
を満足する最大の整数であり、ｎは、前記ＳＦＮで定義されたビット数であり、ｌｏｇ２は、基底数２である対数であり、関数
【数４】
0005313350.tif 000015
は、その中の最大の整数を出力する請求項１１に記載の装置。
【請求項１４】
前記１または複数のＨＡＲＱのためのＳＦＮロールオーバ時間において、ＨＡＲＱ動作を停止させるためのロジックは、メッセージの往復処理がＳＦＮロールオーバ時間前に完了した場合に、アップリンク許可メッセージを送信するためのロジックをさらに備え、
前記メッセージの往復処理は、メッセージを送信することと、メッセージに対する応答を受信することとを備える請求項９に記載の装置。
【請求項１５】
前記１または複数のＨＡＲＱのためのＳＦＮロールオーバ時間において、ＨＡＲＱ動作を停止させるためのロジックは、アップリンク送信時間が、ＳＦＮロールオーバ時間前に終了した場合に、アップリンク許可を送信するためのロジックを備える請求項９に記載の装置。
【請求項１６】
ＳＦＮロールオーバ前にＡＣＫ／ＮＡＣＫを送る時間の無いＨＡＲＱ処理を組み合わせるためのロジックと、
前記組み合わされたＨＡＲＱ処理を、ＳＦＮロールオーバ時間後に、処理識別情報（ＩＤ）を用いて送信するためのロジックとをさらに備え、
前記処理ＩＤは、前記ＳＦＮロールオーバ時間前の処理ＩＤと同じである請求項１５に記載の装置。
【請求項１７】
無線通信のための装置であって、
システム・フレーム数（ＳＦＮ）ロールオーバ時間を識別し、システム・フレーム数が、第１の値から、前記第１の値よりも小さな第２の値へとロールオーバする時を示す手段と、
１または複数のハイブリッド自動反復要求（ＨＡＲＱ）のためのＳＦＮロールオーバ時間において、ＨＡＲＱ動作を停止させる手段と、
前記ＳＦＮロールオーバ時間からアップリンクＨＡＲＱ動作を再開させる手段と
を備える装置。
【請求項１８】
ＳＦＮロールオーバによってＨＡＲＱ動作が停止され、再開されることであるＨＡＲＱリセットのレートが、時間的に一定になるように、システム内の１または複数のユーザ機器のＳＦＮロールオーバ時間をオフセットする手段をさらに備える請求項１７に記載の装置。
【請求項１９】
システム・ロールオーバ数Ｍを決定する手段をさらに備え、
前記システム・ロールオーバ数は、２つの連続したＳＦＮロールオーバ時間の差である請求項１７に記載の装置。
【請求項２０】
前記システム・ロールオーバ数Ｍは、システムのアップリンクＨＡＲＱ動作のＨＡＲＱ反復期間のうちの１または複数の最小公倍数の倍数であり、前記システムのアップリンクＨＡＲＱ動作は、時分割多重化モードのうちの複数のアップリンク−ダウンリンク構成と、周波数分割多重化モードとを含む請求項１９に記載の装置。
【請求項２１】
前記システム・ロールオーバ数Ｍは、関係
【数５】
0005313350.tif 000016
を満足する最大の整数であり、ｎは、前記ＳＦＮで定義されたビット数であり、ｌｏｇ２は、基底数２である対数であり、関数
【数６】
0005313350.tif 000017
は、その中の最大の整数を出力する請求項１９に記載の装置。
【請求項２２】
１または複数のＨＡＲＱのためのＳＦＮロールオーバ時間において、ＨＡＲＱ動作を停止させる手段は、メッセージの往復処理がＳＦＮロールオーバ時間前に完了した場合に、アップリンク許可メッセージを送信する手段をさらに備え、
前記メッセージの往復処理は、メッセージを送信することと、メッセージに対する応答を受信することとを備える請求項１７に記載の装置。
【請求項２３】
前記１または複数のＨＡＲＱのためのＳＦＮロールオーバ時間において、ＨＡＲＱ動作を停止させる手段は、アップリンク送信時間が、ＳＦＮロールオーバ時間前に終了した場合に、アップリンク許可を送信する手段を備える請求項１７に記載の装置。
【請求項２４】
ＳＦＮロールオーバ前にＡＣＫ／ＮＡＣＫを送る時間の無いＨＡＲＱ処理を組み合わせる手段と、
前記組み合わされたＨＡＲＱ処理を、ＳＦＮロールオーバ時間後に、処理識別情報（ＩＤ）を用いて送信する手段とをさらに備え、
前記処理ＩＤは、前記ＳＦＮロールオーバ時間前の処理ＩＤと同じである請求項２３に記載の装置。
【請求項２５】
無線通信のための、格納された命令群を有するコンピュータ読取可能な記録媒体であって、
前記命令群は、１または複数のプロセッサによって実行可能であり、
システム・フレーム数（ＳＦＮ）ロールオーバ時間を識別し、システム・フレーム数が、第１の値から、前記第１の値よりも小さな第２の値へとロールオーバする時を示すための命令群と、
１または複数のハイブリッド自動反復要求（ＨＡＲＱ）のためのＳＦＮロールオーバ時間において、ＨＡＲＱ動作を停止させるための命令群と、
前記ＳＦＮロールオーバ時間からのアップリンクＨＡＲＱ動作を再開させるための命令群と
を備える、コンピュータ読取可能な記録媒体。
【請求項２６】
無線通信のための装置であって、
システム・フレーム数（ＳＦＮ）ロールオーバ時間を識別し、システム・フレーム数が、第１の値から、第１の値よりも小さな第２の値へとロールオーバする時を示し、１または複数のハイブリッド自動反復要求（ＨＡＲＱ）のためのＳＦＮロールオーバ時間において、ＨＡＲＱ動作を停止させ、前記ＳＦＮロールオーバ時間からのアップリンクＨＡＲＱ動作を再開させるように構成された少なくとも１つのプロセッサと、
前記プロセッサに接続されたメモリと
を備える装置。
【発明の詳細な説明】
【優先権主張】
【０００１】
本特許出願は、本願の譲受人に譲渡され、本明細書において参照によって明確に組み込まれている２００８年８月２１日出願の仮特許出願６１／０９０，７０８号の利益を要求する。
【技術分野】
【０００２】
本開示は、一般に、無線通信に関し、さらに詳しくは、システム時間ロールオーバにおける同期ハイブリッド自動反復要求における中断を回避するための技術に関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
通常、無線多元接続通信システムは、複数の無線端末のための通信を同期にサポートすることができる。端末はおのおのの、順方向リンクおよび逆方向リンクによる送信を介して１または複数の基地局と通信することができる。順方向リンク（すなわちダウンリンク）は、基地局から移動局への通信リンクを称し、逆方向リンク（すなわちアップリンク）は、移動局から基地局への通信リンクを称する。この通信リンクは、単一入力単一出力、複数入力単一出力、あるいは、複数入力複数出力（ＭＩＭＯ）システムによって確立されうる。
【０００５】
同期ハイブリッド自動反復要求（ＨＡＲＱ）動作は、周波数分割デュプレクス（ＦＤＤ）および時分割デュプレクス（ＴＤＤ）の両方のために、ＬＴＥ規格におけるアップリンク共有チャネル（ＵＬＳＣＨ）データ送信のために適用されている。同期伝送では、ＨＡＲＱ処理識別子（ＩＤ）とシステム時間との間に固定された関係がある。一般に、システム時間は、期間内で、ｔ＝ｒａｄｉｏ＿ｆｒａｍｅ＿ｎｕｍｂｅｒ＊１０＋サブフレーム数としてユニークに定義される。したがって、ＵＥと基地局（例えば、アクセス・ポイント、ノードＢ、発展型ノードＢ  ｅノードＢ、ｅＮＢ）との間には、各フレームにおいてどのサブフレームが使用されるかに関する共通の理解があるので、ＨＡＲＱ処理ＩＤは一般に、フォーマット０におけるダウンリンク制御情報（ＤＣＩ）メッセージでは、ユーザ機器（ＵＥ）へシグナルされる必要はない。
【０００６】
一方、システム・フレーム数（ＳＦＮ）は、一般に、マスタ情報ブロック（ＭＩＢ）で定義される限定されたビット数しか持っていない。ＳＦＮは、サポートされているラジオ・フレームの最大数に達した後にロールオーバする。発展型ユニバーサル・モバイル・テレコミュニケーション・システム地上ラジオ・アクセス・ネットワーク（３ＧＰＰ  ＬＴＥ規格にしたがったＥ−ＵＴＲＡＮ）の場合、ＳＦＮは、１０ビットでシグナルされうる。同期ＨＡＲＱ動作における中断を回避するために、たとえＳＦＮがロールオーバしても、ＨＡＲＱ処理ＩＤとシステム時間との間の同様の関係が常に維持される必要がある。
【０００７】
したがって、当該技術では、システム時間ロールオーバにおいて、同期ハイブリッド自動反復要求動作におけるサービスの中断を回避するための技術が必要とされる。
【発明の概要】
【０００８】
ある態様は、無線通信のための方法を提供する。この方法は一般に、システム・フレーム数（ＳＦＮ）ロールオーバ時間を識別し、システム・フレーム数が、第１の値から、第１の値よりも小さな第２の値へとロールオーバする時を示すことと、１または複数のハイブリッド自動反復要求（ＨＡＲＱ）のためのＳＦＮロールオーバ時間において、またはＳＦＮロールオーバ時間近傍において、ＨＡＲＱ動作を停止させることと、ＳＦＮロールオーバ時間からアップリンクＨＡＲＱ動作を再開することとを含む。
【０００９】
ある態様は、無線通信のための装置を提供する。この装置は一般に、システム・フレーム数（ＳＦＮ）ロールオーバ時間を識別し、システム・フレーム数が、第１の値から、第１の値よりも小さな第２の値へとロールオーバする時を示すためのロジックと、１または複数のハイブリッド自動反復要求（ＨＡＲＱ）のためのＳＦＮロールオーバ時間において、またはＳＦＮロールオーバ時間近傍において、ＨＡＲＱ動作を停止させるためのロジックと、ＳＦＮロールオーバ時間からアップリンクＨＡＲＱ動作を再開させるためのロジックとを含む。
【００１０】
ある態様は、無線通信のための装置を提供する。この装置は一般に、システム・フレーム数（ＳＦＮ）ロールオーバ時間を識別し、システム・フレーム数が、第１の値から、第１の値よりも小さな第２の値へとロールオーバする時を示す手段と、１または複数のハイブリッド自動反復要求（ＨＡＲＱ）のためのＳＦＮロールオーバ時間において、またはＳＦＮロールオーバ時間近傍において、ＨＡＲＱ動作を停止させる手段と、ＳＦＮロールオーバ時間からアップリンクＨＡＲＱ動作を再開させる手段とを含む。
【００１１】
ある態様は、格納された命令群を有するコンピュータ読取可能媒体を備える、無線通信のためのコンピュータ・プログラム製品を提供する。これら命令群は、１または複数のプロセッサによって実行可能である。これら命令群は、一般に、システム・フレーム数（ＳＦＮ）ロールオーバ時間を識別し、システム・フレーム数が、第１の値から、第１の値よりも小さな第２の値へとロールオーバする時を示すための命令群と、１または複数のハイブリッド自動反復要求（ＨＡＲＱ）のためのＳＦＮロールオーバ時間において、またはＳＦＮロールオーバ時間近傍において、ＨＡＲＱ動作を停止させるための命令群と、ＳＦＮロールオーバ時間からアップリンクＨＡＲＱ動作を再開させるための命令群とを含む。
【００１２】
ある態様は、アクセス・ポイントによる無線通信のための装置を提供する。この装置は一般に、システム・フレーム数（ＳＦＮ）ロールオーバ時間を識別し、システム・フレーム数が、第１の値から、第１の値よりも小さな第２の値へとロールオーバする時を示し、１または複数のハイブリッド自動反復要求（ＨＡＲＱ）のためのＳＦＮロールオーバ時間において、またはＳＦＮロールオーバ時間近傍において、ＨＡＲＱ動作を停止させ、ＳＦＮロールオーバ時間からアップリンクＨＡＲＱ動作を再開させるように構成された少なくとも１つのプロセッサと、プロセッサに接続されたメモリとを含む。
【図面の簡単な説明】
【００１３】
本開示の上述した特徴が、より詳細に理解される方式で、簡潔に要約された上記具体的な記載が、態様に対する参照によってなされている。そして、それらの幾つかは、添付図面で例示されている。しかしながら、この記載は、その他の等しく有効な態様に対しても当てはまるので、添付図面は、本開示のある典型的な態様のみを示しており、この範囲を限定するものとして考慮されないことが注目されるべきである。
【図１】図１は、１つの実施形態にしたがう多元接続無線通信システムを例示する。
【図２】図２は、通信システムのブロック図を例示する。
【図３Ａ】図３Ａは、周波数分割デュプレクス・システムおよび時分割デュプレクス・システムにおけるシステム・フレーム数（ＳＦＮ）ロールオーバを図示する。
【図３Ｂ】図３Ｂは、周波数分割デュプレクス・システムおよび時分割デュプレクス・システムにおけるシステム・フレーム数（ＳＦＮ）ロールオーバを図示する。
【図３Ｃ】図３Ｃは、周波数分割デュプレクス・システムおよび時分割デュプレクス・システムにおけるシステム・フレーム数（ＳＦＮ）ロールオーバを図示する。
【図４】図４は、本開示のある態様にしたがって、システム時間ロールオーバにおける同期ハイブリッド自動反復要求（ＨＡＲＱ）動作中のサービス中断を回避するための技術の動作例を例示する。
【図４Ａ】図４Ａは、図４に例示された動作を実行することが可能な構成要素の例を示す。
【発明を実施するための形態】
【００１４】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングル・キャリアＦＤＭＡ（ＳＣ−ＦＤＭＡ）ネットワークのようなさまざまな無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実施することができる。ＵＴＲＡは、広帯域ＣＤＭＡ（Ｗ−ＣＤＭＡ）およびロー・チップ・レート（ＬＣＲ）を含んでいる。ＣＤＭＡ２０００は、ＩＳ−２０００規格、ＩＳ−９５規格、およびＩＳ−８５６規格をカバーする。
【００１５】
ＴＤＭＡネットワークは、例えばグローバル・システム・フォー・モバイル・コミュニケーション（ＧＳＭ（登録商標））のような無線技術を実現することができる。ＯＦＤＭＡネットワークは、例えば発展型ＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュＯＦＤＭ（登録商標）等のようなラジオ技術を実施することができる。ＵＴＲＡ、Ｅ−ＵＴＲＡおよびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。これらさまざまなラジオ技術および規格は、当該技術分野において知られている。明確にするために、これら技術のある態様は、以下において、ＬＴＥについて記載されており、ＬＴＥ用語が以下の説明の多くで使用される。
【００１６】
シングル・キャリア周波数分割多元接続（ＳＣ−ＦＤＭＡ）は、単一のキャリア変調および周波数領域等値化を利用する技術である。ＳＣ−ＦＤＭＡは、ＯＦＤＭＡシステムと同様の性能および同じ全体複雑さを有する。ＳＣ−ＦＤＭＡ信号は、その固有のシングル・キャリア構造により、低いピーク対平均電力比（ＰＡＰＲ）を有する。ＳＣ−ＦＤＭＡは、送信電力効率の観点において、低いＰＡＰＲがモバイル端末に大いに有益となるアップリンク通信において特に、大きな注目を集めた。それは現在、３ＧＰＰロング・ターム・イボリューション（ＬＴＥ）または発展型ＵＴＲＡにおけるアップリンク多元接続スキームのために動作していると仮定されている。
【００１７】
図１に示すように、１つの実施形態にしたがう多元接続無線通信システムが例示される。アクセス・ポイント１００（ＡＰ）は、複数のアンテナ・グループを含んでいる。１つは１０４、１０６を含み、他のものは１０８、１１０を含み、さらに他のものは１１２、１１４を含む。図１では、おのおののアンテナ・グループについて２本のアンテナしか示されていない。しかしながら、おのおののアンテナ・グループについて、それより多くまたはそれより少ないアンテナが利用されうる。アクセス端末１１６（ＡＴ）はアンテナ１１２およびアンテナ１１４と通信しており、アンテナ１１２、１１４は、順方向リンク１２０でアクセス端末１１６へ情報を送信し、逆方向リンク１１８でアクセス端末１１６から情報を受信する。アクセス端末１２２は、アンテナ１０６、１０８と通信しており、アンテナ１０６、１０８は、順方向リンク１２６でアクセス端末１２２へ情報を送信し、逆方向リンク１２４でアクセス端末１２２から情報を受信する。ＦＤＤシステムでは、通信リンク１１８、１２０、１２４、１２６は、通信のために異なる周波数を使用することができる。例えば、順方向リンク１２０は、逆方向リンク１１８によって使用されるものとは異なる周波数を使用しうる。
【００１８】
アンテナの各グループ、および／または、これらが通信するように設計された領域は、しばしば、アクセス・ポイントのセクタと称される。実施形態では、おのおののアンテナ・グループは、アクセス・ポイント１００によってカバーされる領域のセクタ内のアクセス端末と通信するように設計される。
【００１９】
順方向リンク１２０、１２６による通信では、アクセス・ポイント１００の送信アンテナは、別のアクセス端末１１６、１２４の順方向リンクの信号対雑音比を改善するために、ビームフォーミングを利用する。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００２０】
アクセス・ポイントは、端末と通信するために使用される固定局であり、アクセス・ポイント、ノードＢ、あるいはその他幾つかの専門用語でも称されうる。アクセス端末はまた、アクセス端末、ユーザ機器（ＵＥ）、無線通信デバイス、端末、アクセス端末、あるいはその他いくつかの専門用語で称されうる。
【００２１】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【００２２】
ＭＩＭＯシステムは、時分割デュプレクス（ＴＤＤ）システムまたは周波数デュプレクス（ＦＤＤ）システムをサポートすることができる。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【００２３】
図２は、ＭＩＭＯシステム２００における（アクセス・ポイントとしても知られている）送信機システム２１０および（アクセス端末としても知られている）受信機システム２５０の実施例のブロック図である。送信機システム２１０では、多くのデータ・ストリーム用のトラフィック・データが、データ・ソース２１２から送信（ＴＸ）データ・プロセッサ２１４に提供される。
【００２４】
実施形態では、おのおののデータ・ストリームが、それぞれの送信アンテナを介して送信される。ＴＸデータ・プロセッサ２１４は、おのおののデータ・ストリームのトラフィック・データ・ストリームをフォーマットし、このデータ・ストリームのために選択された特定の符号化スキームに基づいて符号化し、インタリーブして、符号化されたデータを提供する。
【００２５】
おのおののデータ・ストリームの符号化されたデータは、ＯＦＤＭ技術を用いてパイロット・データと多重化されうる。パイロット・データは一般に、既知の方法で処理される既知のデータ・パターンであり、チャネル応答を推定するために受信機システムにおいて使用されうる。おのおののデータ・ストリームについて多重化されたパイロットおよび符号化されたデータは、その後、このデータ・ストリームのために選択された特定の変調スキーム（例えば、ＢＰＳＫ、ＱＰＳＫ、Ｍ−ＰＳＫ、またはＭ−ＱＡＭ）に基づいて変調（すなわち、シンボル・マップ）され、変調シンボルが提供される。おのおののデータ・ストリームのデータ・レート、符号化、および変調は、プロセッサ２３０によって実行される命令群によって決定されうる。
【００２６】
すべてのデータ・ストリームの変調シンボルは、（例えば、ＯＦＤＭのために）変調シンボルをさらに処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある実施形態では、ＴＸ  ＭＩＭＯプロセッサ２２０は、データ・ストリームのシンボル、および、そのシンボルが送信されるアンテナへ、ビームフォーミング重みを適用する。
【００２７】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、ＮＴ個のアンテナ２２４ａ乃至２２４ｔそれぞれから送信される。
【００２８】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、それぞれの受信信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００２９】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、そのデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。
【００３０】
プロセッサ２７０は、上述したように、どの事前符号化行列を使用するのかを定期的に決定する。さらに、プロセッサ２７０は、行列インデクス部およびランク値部を備えた逆方向リンク・メッセージを規定することができる。
【００３１】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３２】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。さらに、プロセッサ２３０は、ビームフォーミング重みを決定するためにどの事前符号化行列を使用するかを決定するために、この抽出されたメッセージを処理する。
【００３３】
（システム時間ロールオーバにおける中断された同期ハイブリッド自動反復要求（ＨＡＲＱ）サイクルの取り扱い）
同期ハイブリッド自動反復要求（ＨＡＲＱ）送信では、ＨＡＲＱ処理識別子（ＩＤ）とシステム時間との間に固定された関係がある。したがって、各サブフレームにおいてどの処理が使用されるかについてＵＥと基地局との間で共通した理解があるので、ある場合には、ＨＡＲＱ処理ＩＤは、ダウンリンク制御情報（ＤＣＩ）メッセージでユーザ機器（ＵＥ）へシグナルされない。
【００３４】
一方、システム・フレーム数（ＳＦＮ）は、マスタ情報ブロック（ＭＩＢ）において定義された制限されたビット数しか有していない。ＳＦＮは、ラジオ・フレームの最大数に達した後にロールオーバする。同期ＨＡＲＱ動作中の中断を回避するために、たとえＳＦＮがロールオーバしても、ＨＡＲＱ処理ＩＤとシステム時間との間の同様の関係が維持される必要がある。
【００３５】
本開示は、ＳＦＮがロールオーバした場合に、ＵＥと基地局との間で、一貫したアップリンク・ハイブリッド自動反復要求（ＵＬ  ＨＡＲＱ）動作を維持する技術を提供する。
【００３６】
限定ではなく説明の目的のために、以下の定義は、開示された主題のさまざまな態様を説明するために提供される。本明細書で提供されるように、アップリンクＨＡＲＱ往復処理は、例えばダウンリンク・サブフレーム、アップリンク・サブフレーム、ＰＵＳＣＨサブフレームを復号するための時間、および、アクノレッジメント／否定的アクノレッジメント（ＡＣＫ／ＮＡＣＫ）サブフレームのような複数のサブフレームを含みうる。ダウンリンク（ＤＬ）サブフレームは、（例えば、物理ダウンリンク制御チャネル（ＰＤＣＣＨ）と連携した）アップリンク（ＵＬ）許可を伝送しうる。アップリンク（ＵＬ）サブフレームは、物理アップリンク共有チャネル（ＰＵＳＣＨ）送信を伝送しうる。ダウンリンクＡＣＫ／ＮＡＣＫメッセージは、物理ハイブリッド自動反復要求インジケータ・チャネル（ＰＨＩＣＨ）で送信される。この点において、例えば、ＰＤＣＣＨチャネルまたはＰＨＩＣＨチャネルにおけるアップリンク許可のような信号の送信および応答の受信のために、一般に、最低でも３ミリ秒が必要とされる。
【００３７】
さらに、本明細書で提供されるように、ＨＡＲＱ反復期間Ｒは、「送信許可」と「ＡＣＫへの送信」との間の同様なタイミング関係を維持するためのラジオ・フレーム構造のサブフレーム数である。言い換えれば、Ｒは、ＨＡＲＱ周期を表す。例えば、ＦＤＤの場合、Ｒは８に等しく、ＴＤＤ構成１乃至５の場合、Ｒは１０に等しく、ＴＤＤ構成０の場合、Ｒは３５に等しく、ＴＤＤ構成６の場合、Ｒは６０に等しい。
【００３８】
さらに、本明細書で提供されたように、ＳＦＮロールオーバ数Ｎは、２つの連続したＳＦＮロールオーバ・ポイント間のラジオ・フレームの数である。例えば、ＳＦＮロールオーバ数Ｎは、ｎビットからなる自然なロールオーバ（Ｎ＝２ｎ）であるか、あるいは、ｎ＝[ｌｏｇ２Ｎ]ビット、０≦ＳＦＮ≦Ｎ−１として表現される任意の整数である。ロング・ターム・イボリューション（ＬＴＥ）規格の目的の場合、ｎは１０であり、Ｎは１０２４以下でありうる。
【００３９】
さらに、本明細書で用いられるように、システム時間Ａは、サブフレーム数（例えば、ＬＴＥ規格では、Ａ＝１０＊システム・フレーム数＋サブフレーム数）によって定義される。システム・ロールオーバ数Ｍは、２つのＳＦＮロールオーバ・ポイント間のサブフレームの数（例えば、ＬＴＥの場合、Ｍ＝１０＊Ｎ）でありうる。
【００４０】
ＳＦＮロールオーバ期間は、ＳＦＮロールオーバ・ポイント前後のサブフレームとして定義される。ここでは、通常のＨＡＲＱ反復期間が中断される。ＳＦＮロールオーバ期間は、ハイブリッド自動反復要求（ＨＡＲＱ）往復時間が、ＳＦＮロールオーバ・ポイントを超える第１のサブフレームにおいて始まる。通常通り動作すると、このサブフレームのシステム時間と処理ＩＤとの間の関係は、無効となりうる。ＳＦＮロールオーバ期間はまた、ＳＦＮロールオーバ中断によりＨＡＲＱフル・サイクルに関係していないＳＦＮロールオーバ・ポイント後のいくつかのサブフレームをも含む。
【００４１】
システム・ロールオーバ数Ｍが、ＨＡＲＱ反復期間Ｒによって割り切れる場合、システム時間ロールオーバによるＨＡＲＱサイクルの中断はなく、システムは、ＳＦＮロールオーバ後に通常の動作を継続することができることが注目されるべきである。
【００４２】
例えば、通常の同期ＨＡＲＱ動作の下では、ＦＤＤのためのＨＡＲＱ処理数は、一般に８に設定される。システム・フレーム数は、Ｎ個のラジオ・フレーム、すなわち１０Ｎ個のサブフレームを提供する。１０Ｎが８によって割り切れる場合、ＳＦＮがラップ・アラウンドすると、ＳＦＮロールオーバ・ポイント後のラジオ・フレーム内のＨＡＲＱ処理数は、前のラジオ・フレームから続く。したがって、システムは、ＳＦＮロールオーバ後に、通常の動作を続けることができる。
【００４３】
別の例として、ＴＤＤ構成１乃至５を利用するシステムの場合、ＨＡＲＱ反復期間Ｒは、１ラジオ・フレーム（すなわち、１０）に等しい。したがって、ＳＦＮがラップ・アラウンドする（すなわち、ロールオーバする）場合、ＳＦＮロールオーバ・ポイント後のラジオ・フレーム内のＨＡＲＱ処理数は、前のラジオ・フレームから継続する。したがって、このシステムは、ＳＦＮロールオーバ後、通常の動作を継続する。
【００４４】
当業者によって理解されるであろうが、ＨＡＲＱ反復期間Ｒの倍数ではないシステム・ロールオーバ数Ｍでシステム・フレーム数がラップ・アラウンドする場合、多くの潜在的な問題が存在する。この問題は、ＦＤＤシステムのみならず、ＴＤＤシステムにも引き起こる。
【００４５】
いくつかの異常な同期ＨＡＲＱ動作例は、システム・ロールオーバ数Ｍが、ＨＡＲＱ反復期間Ｒの倍数ではない場合にＳＦＮがラップ・アラウンドした場合、潜在的な問題を例示する。ＦＤＤのコンテキストでは、システム・ロールオーバ数Ｍ（例えば、ＬＴＥ  ＦＤＤの場合、Ｍ＝１０Ｎ）が、ＨＡＲＱ反復期間Ｒ（たとえば、ＬＴＥ  ＦＤＤの場合、Ｒ＝８）によって割り切れない場合、ＳＦＮがラップ・アラウンドすると、タイム・ラインにおける中断を回避するために、ＨＡＲＱ処理ＩＤとＳＦＮとの間で同じ関係が維持されねばならない。これは、新たなラジオ・フレーム中のＨＡＲＱ処理数が、前のラジオ・フレームからキャリー・オンしないことを示唆しうる。
【００４６】
図３Ａ乃至３Ｃは、システム・ロールオーバ数が、ＨＡＲＱ反復期間によって割り切れないＴＤＤシステムおよびＦＤＤシステムの例を示す。
【００４７】
図３Ａは、システム・ロールオーバ数が、ＨＡＲＱ反復期間によって割り切れないことによる、ＳＦＮロールオーバ時におけるＦＤＤシステムにおけるサービスの中断の例を示す。例示するように、アップリンクＨＡＲＱメッセージＵ０乃至Ｕ７は、２つの連続したラジオ・フレームである３０２および３０４で送信される。このシステムの通常の動作では、ＨＡＲＱ処理は、４サブフレーム後に送信される物理ハイブリッド自動反復要求インジケータ・チャネル（ＰＨＩＣＨ）でメッセージを受信することを待つ。ＰＨＩＣＨチャネルでメッセージを受信した後、ＨＡＲＱ処理は、８サブ・フレーム後に再送信する。
【００４８】
図３Ａでは、第１のラジオ・フレーム３０２におけるアップリンクＨＡＲＱ処理Ｕ３の後にＳＦＮロールオーバが引き起こる。ＳＦＮロールオーバ（すなわち、処理Ｕ０−Ｕ３）前に開始されたＨＡＲＱ処理が、通常のＨＡＲＱ処理にしたがう場合、対応する再送信が、第２のラジオ・フレーム３０４内のＨＡＲＱＵ４−Ｕ７で生じる。これは、ＨＡＲＱ動作全体を中断させる。一般性を失うことなく、図３Ａに関連して、アップリンクＨＡＲＱラベリングは、Ｕ０、Ｕ１、Ｕ２、Ｕ３、Ｕ４、Ｕ５、Ｕ６、Ｕ７である必要は無く、８つのサブフレームからなる期間とともに任意の反復パターンを適用することが可能であることが注目されるべきである。
【００４９】
図３Ｂおよび図３Ｃは、ＴＤＤシステムにおけるＳＦＮロールオーバ時におけるＨＡＲＱサービス中断を例示する。ここで、アップリンクＨＡＲＱは、アップリンク−ダウンリンク構成に依存する。一般性を失うことなく、図３Ｂおよび図３Ｃでは、設定０が図示されている。
【００５０】
図３Ｂは、ＨＡＲＱ期間中の通常のＨＡＲＱパターンを例示している。アップリンク処理Ｕ０乃至Ｕ６は、図３Ｂに例示される２つの連続したラジオ・フレーム３０６、３０８で送信され、図３Ｃと比較して、サービスの中断がない。
【００５１】
図３Ｃは、ＳＦＮロールオーバによってＨＡＲＱが中断される例を示す。したがって、システム・ロールオーバ数が、ＨＡＲＱ反復期間を割り切ることができない場合、前のラジオ・フレームがＨＡＲＱ処理Ｕ３で終了する一方、新たなラジオ・フレームが、ＨＡＲＱ処理Ｕ０以降を伴って開始される。この場合、第１のラジオ・フレーム３０６内のＨＡＲＱ処理Ｕ６、Ｕ０、Ｕ１、Ｕ２、Ｕ３が、通常のＨＡＲＱ往復処理にしたがうのであれば、対応する再送信が、第２のラジオ・フレーム３０８における異なるＨＡＲＱ処理ＩＤにおいて引き起こるだろう。これは、ＨＡＲＱ動作全体を中断させるだろう。繰り返すが、限定することなく、また、一般性を失うこともなく、アップリンクＨＡＲＱラベリングは、Ｕ０、Ｕ１、Ｕ２、Ｕ３、Ｕ４、Ｕ５、Ｕ６、Ｕ７である必要は無く、７つのハイブリッド自動反復要求処理をともなう任意の反復パターンが適用可能であることが注目されるべきである。
【００５２】
図４は、本開示のある態様にしたがって、システム時間ロールオーバ時、同期ハイブリッド自動反復要求（ＨＡＲＱ）動作中におけるサービスの中断を回避する技術のための動作例を示す。４０２では、システム・フレーム数（ＳＦＮ）ロールオーバ時間が識別される。ここで、ＳＦＮロールオーバ時間は、ＳＦＮが第１の値から第２の値に切り換わる時間であり、第２の時間は、第１の時間よりも短い。４０４では、１または複数のＨＡＲＱについて、ＳＦＮロールオーバ時間において、ハイブリッド自動反復要求（ＨＡＲＱ）動作が停止される。４０６では、ＳＦＮロールオーバ時間からの再開アップリンクＨＡＲＱ動作が再開される。
【００５３】
同期アップリンクＨＡＲＱ動作における中断を回避し、かつ、ＨＡＲＱ処理ＩＤとシステム時間との間の固定された関係を維持するために、本開示は、以下のメカニズムを提供する。
【００５４】
態様によれば、同期アップリンクＨＡＲＱ動作を維持するために、ＵＥと基地局との両方が、未解決のすべてのＨＡＲＱのために、ＳＦＮロールオーバ時間において、ハイブリッド自動反復要求動作を再開する。その結果、通常の規則（例えば、ＨＡＲＱ処理ＩＤとシステム時間との固定された関係）にしたがって、ＵＥと基地局との両方が、ＳＦＮロールオーバ・ポイントからアップリンクＨＡＲＱ動作を再開することができる。この態様によって、ＨＡＲＱでは、リセット時に、未解決の、および、既に部分的に受信されたデータが失われるという１つの欠点はあるものの、ＨＡＲＱ動作はかなり単純になる。失われたパケットは、例えば、ラジオ・リンク制御（ＲＬＣ）プロトコルのようなＡＲＱ方法によって、再送信される必要がある。この結果、システム・リソースは、数秒毎（例えば、１０秒毎）に、非効率的に使用されることになる。理解されるように、この問題は、システム内のすべての端末が、同時にＳＦＮロールオーバを経験する場合、深刻となりうる。したがって、システムは、数秒毎に、過剰な再送信に直面する。
【００５５】
あるいは、および／または、それに加えて、前述したスキームは、システム内のさまざまなＵＥのオールオーバのポイントをオフセット／調節することによって増大される。これによって、ＳＦＮロールオーバによるＨＡＲＱリセットのレートが、時間的に一定となる。例えば、ＵＥは、アップリンク同期ＨＡＲＱの目的で、ＳＦＮ’を使用する。ここで、ＳＦＮ’＝ＳＦＮ＋ｆ（ＵＥ＿ＩＤ）である。関数ｆ（．）は、基地局およびＵＥに知られうる。例えば、ＵＥ識別情報（ＩＤ）は、セル・ラジオ・ネットワーク・テンポラリ識別子（Ｃ−ＲＮＴＩ）であり、関数ｆ（．）は、ｆ（ｘ）＝ｘモジュロ（ＳＦＮロールオーバ数）でありうる。
【００５６】
さらなる態様によれば、同期アップリンクＨＡＲＱ動作を維持するために、ＦＤＤ／ＴＤＤ構成のすべてまたはサブセットについて、システム・ロールオーバ数が定義されうる。ある態様の場合、ＦＤＤ／ＴＤＤ構成のすべてについて単一のシステム・ロールオーバ数Ｍが定義されうる。システム・ロールオーバ数Ｍは、システムのすべてのＵＬ  ＨＡＲＱ動作の、すべてのＨＡＲＱ反復期間の最小公倍数の倍数でありうる。これは、ＦＤＤモード、および／または、ＴＤＤモードのすべてのアップリンク−ダウンリンク構成を含む。例えば、Ｍは、関係  
【数１】
0005313350.tif 000002
【００５７】
を満足する最も大きな整数でありうる。ここで、ｎは、ＳＦＮで定義されたビット数であり、ｌｏｇ２は、基底数２である対数であり、関数  
【数２】
0005313350.tif 000003
【００５８】
は、その中の最大の整数を出力する。
【００５９】
別の態様の場合、システム・ロールオーバ数Ｍが、各ＦＤＤ／ＴＤＤ構成について、その構成のＨＡＲＱ反復期間の倍数になるように定義される。システム・ロールオーバ数Ｍは、関係  
【数３】
0005313350.tif 000004
【００６０】
を満足する最大の整数でありうる。しかしながら、上述した態様は、新たなＳＦＮロールオーバ時間を要し、既存の実施に対してインパクトを与えうる。さらなる態様によれば、通常の同期ＨＡＲＱ動作を再開するために、アップリンクＨＡＲＱ挙動が、ＳＦＮロールオーバ期間中に定義される。この態様では、ＳＦＮロールオーバ数（すなわち、Ｎ＝２ｎ）およびシステム・ロールオーバ数（すなわち、Ｍ＝１０Ｎ）の現在の定義が維持されうる。その結果、システム・ロールオーバ数Ｍは、いくつかのアップリンクＨＡＲＱ動作について、ＨＡＲＱ反復期間の倍数にはならない。
【００６１】
ＳＦＮロールオーバ・ポイント前のＳＦＮロールオーバ期間について、基地局は、対応するフル・アップリンクＨＡＲＱ往復処理が、ＳＦＮリセット・ポイント前に終了しない場合、アップリンク（ＵＬ）許可の送信を停止する。ＳＦＮリセット・ポイント後のＳＦＮロールオーバ期間中、基地局は、ＨＡＲＱ処理ＩＤとシステム時間との間の固定された関係にしたがって、アップリンクＨＡＲＱ動作のリフレッシュを開始しうる。再送信を必要とするＨＡＲＱ処理の場合、権利主張される主題は、ＳＦＮリセット後、同じＨＡＲＱ処理ＩＤ位置で再送信することができる。これは、往復時間が、通常の動作の場合とは異なるということを示唆している。しかしながら、再送信ターン・アラウンド時間が満足されない場合、権利主張される主題は、この状況を、否定的なアクノレッジメント（ＮＡＣＫ）を受信するものとして取り扱うか、あるいは、これらサブフレームにおける送信を控える。したがって、再送信は、ターン・アラウンド時間が満足された場合にのみ引き起こる。
【００６２】
権利主張される主題は、ＳＦＮリセット後、対応するＵＬ許可を持たないであろうアップリンク・サブフレームについて、ＳＦＮリセット・ポイント前にＵＬ許可メッセージを送信することによって、ＳＦＮリセット後のアップリンク・サブフレームの使用を最大化することができる。ＦＤＤの場合、ＵＬ送信が、時間ｎにおいて生じた場合、ＵＬ許可が、時間ｎ−４において送信されうる。ＴＤＤの場合、ＵＬ送信が時間ｎにおいて生じた場合、１または複数の物理アップリンク共有チャネル関連手順にしたがって、ＵＬ許可が一度に送信される。
【００６３】
あるいは、および／または、それに加えて、権利主張される主題は、ＳＦＮがリセットする時間前、アップリンク・サブフレームの使用を最大化することができる。したがって、ＳＦＮリセット・ポイント前、ＳＦＮロールオーバ期間では、アップリンク送信時間がＳＦＮリセット・ポイントを超えた場合、基地局は、アップリンク許可メッセージの送信を停止する。ＳＦＮリセット・ポイント後のＳＦＮロールオーバ期間では、基地局は、ＨＡＲＱ処理ＩＤとシステム時間との間の固定された関係にしたがって、新たなアップリンクＨＡＲＱ動作を開始することができる。ＳＦＮリセット前にＡＣＫ／ＮＡＣＫメッセージを送信する時間の無いＨＡＲＱ処理のために、基地局は、それらを、ＮＡＣＫメッセージを用いた処理として取り扱い、ＳＦＮリセット・ポイント後、同じＨＡＲＱ処理ＩＤにソフト・コンバインする。ターン・アラウンド時間が満たされ、再送信を必要とするＨＡＲＱ処理の場合、基地局は、ＳＦＮリセット後、同じＨＡＲＱ処理ＩＤ位置で再送信することができる。この解決法は、通常の動作と比較して、往復送信時間を増加させる。
【００６４】
さらなる態様は、ＳＦＮリセット前のアップリンク・サブフレームの使用の最適化と、再送信回数の低減とを試みるシステム。ターン・アラウンド時間が満足される場合、再送信を必要とする処理を組み合わせることによって、これら処理は、単一の送信として取り扱うことができる。この態様では、対応するＡＣＫ／ＮＡＣＫメッセージは、たとえＳＦＮリセット・ポイント後であっても、通常のタイム・ラインにしたがって送信される。したがって、ＦＤＤの場合、アップリンク送信が時間ｎにおいて起こる場合、ＡＣＫ／ＮＡＣＫメッセージは、時間ｎ＋４において送信される。ＴＤＤの場合、アップリンク送信が時間ｎにおいて起こる場合、ＡＣＫ／ＮＡＣＫメッセージは、表１に基づく時間において送信される。
【００６５】
表１は、アップリンク・サブフレーム・インデクスｎ、および、ＴＤＤ  ＵＬ／ＤＬ設定数に基づいて、ＡＣＫ／ＮＡＣＫメッセージの送信時間を例示している。例えば、アップリンク送信が、ＴＤＤ  ＵＬ／ＤＬ設定１を用いて、ＵＬサブフレーム・インデクス３で引き起こる場合、ＡＣＫ／ＮＡＣＫメッセージは、サブフレーム６で送信されうる。  
【表１】
0005313350.tif 000005
【００６６】
さらなる態様によれば、権利主張される主題は、ＳＦＮロールオーバ期間中におけるＵＬサブフレームの使用を最大化しうる。開示された主題のこの態様では、権利主張される主題は、ＳＦＮリセット・ポイント前のＳＦＮロールオーバ期間の場合、ＳＦＮロールオーバ期間中に、通常のように、ＵＬ許可メッセージを送信することができる。さらに、ＳＦＮリセット・ポイント後のＳＦＮロールオーバ期間の場合、権利主張される主題は、ＨＡＲＱ処理ＩＤとシステム時間との間の固定された関係にしたがって、アップリンクＨＡＲＱ動作のリフレッシュを開始することができる。
【００６７】
ＳＦＮリセット前にＡＣＫ／ＮＡＣＫメッセージを送信する時間の無いＨＡＲＱ処理のために、権利主張される主題は、ＳＦＮリセット後、同じＨＡＲＱ処理ＩＤに直接的にソフト・コンバインする（例えば、ＮＡＣＫメッセージとして取り扱う）か、これらＵＬサブフレームを単一の送信として取り扱う。ここでは、たとえＳＦＮリセット後であっても、対応するＡＣＫ／ＮＡＣＫメッセージが、通常のタイム・ラインにしたがって送信される。さらに、ターン・アラウンド時間が満足される場合、再送信を必要とするＨＡＲＱ処理について、権利主張される主題は、往復時間が通常動作とは異なるという示唆の下、ＳＦＮリセット後に、同じＨＡＲＱ処理ＩＤ位置で再送信することができる。
【００６８】
さらなる態様によれば、非同期ＨＡＲＱ動作が利用される。ここでは、ＨＡＲＱ処理ＩＤが、ダウンリンク制御情報（ＤＣＩ）メッセージ・フォーマット０でＵＥへシグナルされる必要がある。
【００６９】
前述された方法のさまざまな動作は、図面に例示されるようなｍｅａｎｓ−ｐｌｕｓ−ｆｕｎｃｉｔｏｎブロックに対応するさまざまなハードウェアおよび／またはソフトウェア構成要素（単数または複数）および／またはモジュール（単数または複数）によって実行されうる。例えば、図４に例示される動作４００は、図４Ａに例示されるｍｅａｎｓ−ｐｌｕｓ−ｆｕｎｃｉｔｏｎブロックに対応する。
【００７０】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロプロセッサとすることができるが、代替案では、プロセッサを、任意の市販のプロセッサ、コントローラ、マイクロコントローラ、または順序回路とすることができる。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成である計算デバイスの組み合わせとして実現することも可能である。
【００７１】
本開示に関連して説明された方法またはアルゴリズムのステップを、ハードウェアで直接的に、プロセッサによって実行されるソフトウェア・モジュールによって、またはこの２つの組合せによって実施することができる。ソフトウェア・モジュールは、当該技術分野において周知のすべての形式の記憶媒体に常駐することができる。使用できる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。あるいは、この記憶媒体は、プロセッサに統合されうる。
【００７２】
本明細書で開示された方法は、説明された方法を達成するための１または複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００７３】
記載された機能は、ハードウェア、ソフトウェア、ファームウェア、またはこれら任意の組み合わせによって実現されうる。ソフトウェアで実現される場合、これら機能は、コンピュータ読取可能媒体に、１または複数の命令群として格納される。記憶媒体は、コンピュータによってアクセスされうる利用可能な任意の媒体である。例として、限定することなく、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で用いられるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、ディジタル・バーサタイル・ディスク（ｄｉｓｃ）（ＤＶＤ）、フロッピー（登録商標）ディスク（ｄｉｓｋ）、ブルー・レイ・ディスク（ｄｉｓｃ）を含む。ここで、ｄｉｓｋは、通常、データを磁気的に再生し、ｄｉｓｃは、データをレーザを用いて光学的に再生する。
【００７４】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００７５】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、そのようなデバイスを、本明細書で説明した方法を実行するための手段の転送を容易にするためにサーバに結合することができる。代替案では、本明細書で説明されるさまざまな方法を、記憶手段（例えば、ＲＡＭ、ＲＯＭ、コンパクト・ディスク（ＣＤ）またはフロッピー・ディスクなどの物理記憶媒体など）を介して提供することができ、ユーザ端末および／または基地局が、記憶手段をデバイスに結合するか提供するときにさまざまな方法を入手することができる。さらに、本明細書で説明された方法および技法をデバイスに提供するために、その他任意の適切な技法を利用することができる。
【００７６】
特許請求の範囲は、前述した正確な構成および構成要素に限定されないことを理解されたい。さまざまな修正、変更、および変形を、特許請求の範囲の範囲から逸脱せずに、前述した方法および装置の構成、動作、および詳細において実施することができる。
【００７７】
前述したものは、本開示の実施形態に向けられているが、これら開示のその他およびさらなる実施形態が、本願の基本的な範囲から逸脱することなく考案され、この範囲は、以下に示す特許請求の範囲によって決定される。
以下に、出願当初の特許請求の範囲に記載された発明を付記する。
［発明１］
無線通信のための方法であって、
システム・フレーム数（ＳＦＮ）ロールオーバ時間を識別し、システム・フレーム数が、第１の値から、前記第１の値よりも小さな第２の値へとロールオーバする時を示すことと、
１または複数のハイブリッド自動反復要求（ＨＡＲＱ）のためのＳＦＮロールオーバ時間において、またはＳＦＮロールオーバ時間近傍において、ＨＡＲＱ動作を停止させることと、
前記ＳＦＮロールオーバ時間からアップリンクＨＡＲＱ動作を再開することと
を備える方法。
［発明２］
ＳＦＮロールオーバによって、ＨＡＲＱリセットのレートが、時間的に一定になるように、システム内の１または複数のユーザ機器のＳＦＮロールオーバ時間を調節することをさらに備える発明１に記載の方法。
［発明３］
システム・ロールオーバ数Ｍを決定することをさらに備え、
前記システム・ロールオーバ数は、２つの連続したＳＦＮロールオーバ時間の差である発明１に記載の方法。
［発明４］
前記システム・ロールオーバ数Ｍは、システムのアップリンクＨＡＲＱ動作のＨＡＲＱ反復期間のうちの１または複数の最小公倍数の倍数であり、前記システムのアップリンクＨＡＲＱ動作は、時分割多重化モードのうちの複数のアップリンク−ダウンリンク構成と、周波数分割多重化モードとを含む発明３に記載の方法。
［発明５］
前記システム・ロールオーバ数Ｍは、関係
【数４】
0005313350.tif 000006
を満足する最大の整数であり、ｎは、前記ＳＦＮで定義されたビット数であり、ｌｏｇ２は、基底数２である対数であり、関数
【数５】
0005313350.tif 000007
は、その中の最大の整数を出力する発明１に記載の方法。
［発明６］
前記１または複数のＨＡＲＱのためのＳＦＮロールオーバ時間において、ＨＡＲＱ動作を停止させることは、メッセージの往復処理がＳＦＮロールオーバ時間前に完了した場合に、アップリンク許可メッセージを送信することをさらに備え、
前記メッセージの往復処理は、メッセージを送信することと、メッセージに対する応答を受信することとを備える発明１に記載の方法。
［発明７］
前記１または複数のＨＡＲＱのためのＳＦＮロールオーバ時間において、ＨＡＲＱ動作を停止させることは、アップリンク送信時間が、ＳＦＮロールオーバ時間前に終了した場合に、アップリンク許可を送信することを備える発明１に記載の方法。
［発明８］
ＳＦＮロールオーバ前にＡＣＫ／ＮＡＣＫを送る時間の無いＨＡＲＱ処理を組み合わせることと、
前記組み合わされたＨＡＲＱ処理を、ＳＦＮロールオーバ時間後に、処理識別情報（ＩＤ）を用いて送信することとをさらに備え、
前記処理ＩＤは、前記ＳＦＮロールオーバ時間前の処理ＩＤと同じである発明７に記載の方法。
［発明９］
無線通信のための装置であって、
システム・フレーム数（ＳＦＮ）ロールオーバ時間を識別し、システム・フレーム数が、第１の値から、前記第１の値よりも小さな第２の値へとロールオーバする時を示すためのロジックと、
１または複数のハイブリッド自動反復要求（ＨＡＲＱ）のためのＳＦＮロールオーバ時間において、またはＳＦＮロールオーバ時間近傍において、ＨＡＲＱ動作を停止させるためのロジックと、
前記ＳＦＮロールオーバ時間からアップリンクＨＡＲＱ動作を再開させるためのロジックと
を備える装置。
［発明１０］
ＳＦＮロールオーバによって、ＨＡＲＱリセットのレートが、時間的に一定になるように、システム内の１または複数のユーザ機器のＳＦＮロールオーバ時間を調節するためのロジックをさらに備える発明９に記載の装置。
［発明１１］
システム・ロールオーバ数Ｍを決定するためのロジックをさらに備え、
前記システム・ロールオーバ数は、２つの連続したＳＦＮロールオーバ時間の差である発明９に記載の装置。
［発明１２］
前記システム・ロールオーバ数Ｍは、システムのアップリンクＨＡＲＱ動作のＨＡＲＱ反復期間のうちの１または複数の最小公倍数の倍数であり、前記システムのアップリンクＨＡＲＱ動作は、時分割多重化モードのうちの複数のアップリンク−ダウンリンク構成と、周波数分割多重化モードとを含む発明１１に記載の装置。
［発明１３］
前記システム・ロールオーバ数Ｍは、関係
【数６】
0005313350.tif 000008
を満足する最大の整数であり、ｎは、前記ＳＦＮで定義されたビット数であり、ｌｏｇ２は、基底数２である対数であり、関数
【数７】
0005313350.tif 000009
は、その中の最大の整数を出力する発明９に記載の装置。
［発明１４］
前記１または複数のＨＡＲＱのためのＳＦＮロールオーバ時間において、ＨＡＲＱ動作を停止させるためのロジックは、メッセージの往復処理がＳＦＮロールオーバ時間前に完了した場合に、アップリンク許可メッセージを送信するためのロジックをさらに備え、
前記メッセージの往復処理は、メッセージを送信することと、メッセージに対する応答を受信することとを備える発明９に記載の装置。
［発明１５］
前記１または複数のＨＡＲＱのためのＳＦＮロールオーバ時間において、ＨＡＲＱ動作を停止させるためのロジックは、アップリンク送信時間が、ＳＦＮロールオーバ時間前に終了した場合に、アップリンク許可を送信するためのロジックを備える発明９に記載の装置。
［発明１６］
ＳＦＮロールオーバ前にＡＣＫ／ＮＡＣＫを送る時間の無いＨＡＲＱ処理を組み合わせるためのロジックと、
前記組み合わされたＨＡＲＱ処理を、ＳＦＮロールオーバ時間後に、処理識別情報（ＩＤ）を用いて送信するためのロジックとをさらに備え、
前記処理ＩＤは、前記ＳＦＮロールオーバ時間前の処理ＩＤと同じである発明１５に記載の装置。
［発明１７］
無線通信のための装置であって、
システム・フレーム数（ＳＦＮ）ロールオーバ時間を識別し、システム・フレーム数が、第１の値から、前記第１の値よりも小さな第２の値へとロールオーバする時を示す手段と、
１または複数のハイブリッド自動反復要求（ＨＡＲＱ）のためのＳＦＮロールオーバ時間において、またはＳＦＮロールオーバ時間近傍において、ＨＡＲＱ動作を停止させる手段と、
前記ＳＦＮロールオーバ時間からアップリンクＨＡＲＱ動作を再開させる手段と
を備える装置。
［発明１８］
ＳＦＮロールオーバによって、ＨＡＲＱリセットのレートが、時間的に一定になるように、システム内の１または複数のユーザ機器のＳＦＮロールオーバ時間を調節する手段をさらに備える発明１７に記載の装置。
［発明１９］
システム・ロールオーバ数Ｍを決定する手段をさらに備え、
前記システム・ロールオーバ数は、２つの連続したＳＦＮロールオーバ時間の差である発明１７に記載の装置。
［発明２０］
前記システム・ロールオーバ数Ｍは、システムのアップリンクＨＡＲＱ動作のＨＡＲＱ反復期間のうちの１または複数の最小公倍数の倍数であり、前記システムのアップリンクＨＡＲＱ動作は、時分割多重化モードのうちの複数のアップリンク−ダウンリンク構成と、周波数分割多重化モードとを含む発明１９に記載の装置。
［発明２１］
前記システム・ロールオーバ数Ｍは、関係
【数８】
0005313350.tif 000010
を満足する最大の整数であり、ｎは、前記ＳＦＮで定義されたビット数であり、ｌｏｇ２は、基底数２である対数であり、関数
【数９】
0005313350.tif 000011
は、その中の最大の整数を出力する発明１７に記載の装置。
［発明２２］
１または複数のＨＡＲＱのためのＳＦＮロールオーバ時間において、ＨＡＲＱ動作を停止させる手段は、メッセージの往復処理がＳＦＮロールオーバ時間前に完了した場合に、アップリンク許可メッセージを送信する手段をさらに備え、
前記メッセージの往復処理は、メッセージを送信することと、メッセージに対する応答を受信することとを備える発明１７に記載の装置。
［発明２３］
前記１または複数のＨＡＲＱのためのＳＦＮロールオーバ時間において、ＨＡＲＱ動作を停止させる手段は、アップリンク送信時間が、ＳＦＮロールオーバ時間前に終了した場合に、アップリンク許可を送信する手段を備える発明１７に記載の装置。
［発明２４］
ＳＦＮロールオーバ前にＡＣＫ／ＮＡＣＫを送る時間の無いＨＡＲＱ処理を組み合わせる手段と、
前記組み合わされたＨＡＲＱ処理を、ＳＦＮロールオーバ時間後に、処理識別情報（ＩＤ）を用いて送信する手段とをさらに備え、
前記処理ＩＤは、前記ＳＦＮロールオーバ時間前の処理ＩＤと同じである発明２３に記載の装置。
［発明２５］
格納された命令群を有するコンピュータ読取可能媒体を備える、無線通信のためのコンピュータ・プログラム製品であって、
前記命令群は、１または複数のプロセッサによって実行可能であり、
システム・フレーム数（ＳＦＮ）ロールオーバ時間を識別し、システム・フレーム数が、第１の値から、前記第１の値よりも小さな第２の値へとロールオーバする時を示すための命令群と、
１または複数のハイブリッド自動反復要求（ＨＡＲＱ）のためのＳＦＮロールオーバ時間において、またはＳＦＮロールオーバ時間近傍において、ＨＡＲＱ動作を停止させるための命令群と、
前記ＳＦＮロールオーバ時間からアップリンクＨＡＲＱ動作を再開させるための命令群と
を備えるコンピュータ・プログラム製品。
２６．
無線通信のための装置であって、
システム・フレーム数（ＳＦＮ）ロールオーバ時間を識別し、システム・フレーム数が、第１の値から、第１の値よりも小さな第２の値へとロールオーバする時を示し、１または複数のハイブリッド自動反復要求（ＨＡＲＱ）のためのＳＦＮロールオーバ時間において、またはＳＦＮロールオーバ時間近傍において、ＨＡＲＱ動作を停止させ、前記ＳＦＮロールオーバ時間からアップリンクＨＡＲＱ動作を再開させるように構成された少なくとも１つのプロセッサと、
前記プロセッサに接続されたメモリと
を備える装置。
【図１】
0005313350.tif 000018
【図２】
0005313350.tif 000019
【図３Ａ】
0005313350.tif 000020
【図３Ｂ】
0005313350.tif 000021
【図３Ｃ】
0005313350.tif 000022
【図４】
0005313350.tif 000023
【図４Ａ】
0005313350.tif 000024